(57)【要約】      （修正有）【課題】菓子が包装体に収容されている包装菓子における包装体や、包装体に収容されている菓子、あるいは包装体に菓子と共に収容されている収容物などの表面に現されている絵などを、簡単な手段、構成によって立体的に認識して楽しむことができる包装菓子を提供する。【解決手段】菓子が包装体に収容されている包装菓子１であって、前記包装体に赤青めがね５が切り離し可能に配備されていると共に、前記包装体の前記赤青めがねが配備されていない領域の外側表面に前記赤青めがね用のアナグリフ画４が描き表わされていることを特徴として包装菓子を形成する。【選択図】図１
0003160624.tif 000002
【実用新案登録請求の範囲】
【請求項１】
菓子が包装体に収容されている包装菓子であって、前記包装体に赤青めがねが切り離し可能に配備されていると共に、前記包装体の前記赤青めがねが配備されていない領域の外側表面に前記赤青めがね用のアナグリフ画が描き表わされていることを特徴とする包装菓子。
【請求項２】
菓子が包装体に収容されている包装菓子であって、前記包装体は菓子を収容する内側包装体と、当該内側包装体を覆う透明な外側包装体とからなり、前記外側包装体に赤青めがねが配備されていると共に、前記内側包装体の外側表面に前記赤青めがね用のアナグリフ画が描き表わされていることを特徴とする包装菓子。
【請求項３】
菓子が包装体に収容されている包装菓子であって、前記包装体に赤青めがねが配備されていると共に、前記包装体に収容されている菓子の外側表面に前記赤青めがね用のアナグリフ画が描き表わされていることを特徴とする包装菓子。
【請求項４】
菓子が包装体に収容されている包装菓子であって、前記包装体に赤青めがねが配備されていると共に、前記赤青めがね用のアナグリフ画が表面に描き表わされている収容物が前記菓子と共に前記包装体に収容されていることを特徴とする包装菓子。
【考案の詳細な説明】
【技術分野】
【０００１】
本考案は、キャンディー、チョコレート、クッキー、ビスケット、等の菓子が箱状、袋状、等の種々の形状・形態の包装体に収容されている包装菓子に関する。特に、菓子を収容している包装体や、当該包装体に収容されている菓子、あるいは当該包装体に菓子と共に収容されている収容物などの表面に描き表わされている絵を立体的に認識して楽しむことができる包装菓子に関する。
【背景技術】
【０００２】
キャンディー、チョコレート、クッキー、ビスケット、等の菓子が箱状、袋状、等の種々の形状・形態の包装体に収容されている包装菓子では従来から包装体の外側表面に商品名などの商品情報の他に消費者の購買意欲を喚起する目的で種々の絵や模様、図柄などが描き表わされている。このような包装体の外側表面に描き表わされている絵や模様、図柄などは平面的であって、立体感に乏しいのが一般的である。
【０００３】
そこで、前記のような包装菓子の外観を立体感のあるものにする提案がされている（特許文献１）。特許文献１記載の考案は、立体的な菓子を収容している包装体を透明なフィルムとし、当該透明なフィルムの一部に平面的に絵を描いておき、外側から見たときに当該透明なフィルムを介して透視できる立体的な菓子と、当該透明なフィルムに描かれている絵とが一体になって見えるようにしたものである。これによって、包装菓子の外観上の単調さを解消し、商品の娯楽性、商品価値を高めることができる、とされている。
【先行技術文献】
【特許文献】
【０００４】
【特許文献１】特開２００６−２９０３８１号公報
【考案の概要】
【考案が解決しようとする課題】
【０００５】
近年、３Ｄ（three dimensions）技術が種々の場面に応用されるようになっている。しかし、包装菓子の包装体や、当該包装体に収容されている菓子、あるいは当該包装体に菓子と共に収容されている収容物などの表面に現されている絵や模様、図柄などを簡単な手段、構成によって立体的に認識して楽しむことができるようにし、包装菓子の娯楽性を高める提案には改善の余地があった。
【０００６】
そこで、この考案は、キャンディー、チョコレート、クッキー、ビスケット、等の菓子が箱状、袋状、等の種々の形状・形態の包装体に収容されている包装菓子における包装体や、当該包装体に収容されている菓子、あるいは当該包装体に菓子と共に収容されている収容物などの表面に現されている絵や模様、図柄などを、簡単な手段、構成によって立体的に認識して楽しむことができるようにし、娯楽性が高められた包装菓子を提供することを目的にしている。
【課題を解決するための手段】
【０００７】
本願の請求項１記載の考案は、
菓子が包装体に収容されている包装菓子であって、前記包装体に赤青めがねが切り離し可能に配備されていると共に、前記包装体の前記赤青めがねが配備されていない領域の外側表面に前記赤青めがね用のアナグリフ画が描き表わされていることを特徴とする包装菓子である。
【０００８】
請求項２記載の考案は、
菓子が包装体に収容されている包装菓子であって、前記包装体は菓子を収容する内側包装体と、当該内側包装体を覆う透明な外側包装体とからなり、前記外側包装体に赤青めがねが配備されていると共に、前記内側包装体の外側表面に前記赤青めがね用のアナグリフ画が描き表わされていることを特徴とする包装菓子である。
【０００９】
請求項３記載の考案は、
菓子が包装体に収容されている包装菓子であって、前記包装体に赤青めがねが配備されていると共に、前記包装体に収容されている菓子の外側表面に前記赤青めがね用のアナグリフ画が描き表わされていることを特徴とする包装菓子である。
【００１０】
請求項４記載の考案は、
菓子が包装体に収容されている包装菓子であって、前記包装体に赤青めがねが配備されていると共に、前記赤青めがね用のアナグリフ画が表面に描き表わされている収容物が前記菓子と共に前記包装体に収容されていることを特徴とする包装菓子である。
【考案の効果】
【００１１】
この考案によれば、キャンディー、チョコレート、クッキー、ビスケット、等の菓子が箱状、袋状、等の種々の形態の包装体に収容されている包装菓子における包装体や、当該包装体に収容されている菓子、あるいは当該包装体に菓子と共に収容されている収容物などの表面に現されている絵や模様、図柄などを簡単な手段、構成によって立体的に認識して楽しむことができるようにし、娯楽性が高められた包装菓子を提供することができる。
【図面の簡単な説明】
【００１２】
【図１】本考案の一例を表す斜視図。
【図２】図１図示の本考案の包装菓子において、赤青めがねを包装体から切り離し、包装体の外側表面に描き表わされているアナグリフ画を立体的に見ている状態を説明する斜視図。
【図３】本考案の他の一例を表す斜視図。
【図４】本考案の他の例を表す斜視図であって、（ａ）は包装箱を開封して内箱を引き出した状態を表す斜視図、（ｂ）は菓子の表面に描き表わされているアナグリフ画を立体的に見ている状態を説明する斜視図。
【図５】本考案の更に他の例を表す斜視図であって、（ａ）は包装箱を開封して内箱を引き出した状態を表す斜視図、（ｂ）は包装箱に収容されている収容物の表面に描き表わされているアナグリフ画を立体的に見ている状態を説明する斜視図。
【考案を実施するための形態】
【００１３】
本考案の包装菓子は、キャンディー、チョコレート、クッキー、ビスケット、等の種々の菓子が箱状、袋状、等の種々の形状・形態の包装体に収容されているものである。
【００１４】
本考案の包装菓子では、包装体に赤青めがねが切り離し可能に配備されていると共に、包装体の赤青めがねが配備されていない領域の外側表面に赤青めがね用のアナグリフ画が描き表わされている。
【００１５】
あるいは、包装体が、菓子を収容する内側包装体と、内側包装体を覆う透明な外側包装体とからなり、外側包装体に赤青めがねが配備されていると共に、内側包装体の外側表面に赤青めがね用のアナグリフ画が描き表わされている。
【００１６】
若しくは、前記包装体に赤青めがねが配備されていると共に、前記包装体に収容されている菓子の外側表面に前記赤青めがね用のアナグリフ画が描き表わされている、又は、前記赤青めがね用のアナグリフ画が表面に描き表わされている収容物が前記菓子と共に前記包装体に収容されているものである。
【００１７】
そこで、包装体から赤青めがねを切り離して、あるいは外側包装体に配備されている赤青めがねを用いて、包装体の外側表面、あるいは内側包装体の外側表面や、包装体に収容されている菓子の外側表面、前記菓子と共に前記包装体に収容されている収容物の表面などに描き表わされている赤青めがね用のアナグリフ画を見ると、これを立体的に認識して楽しむことができ、包装体の外側表面、あるいは内側包装体の外側表面や、包装体に収容されている菓子の外側表面、前記菓子と共に前記包装体に収容されている収容物の表面などに描き表わされている絵や模様、図柄などが飛び出してくるような印象を受けることができる。これによって、娯楽性が高められた包装菓子を提供することができる。
【実施例１】
【００１８】
図１〜図３を用いて本考案の好ましい実施例を説明する。
【００１９】
図１は本考案の一実施形態に係る包装菓子１の斜視図である。内部に菓子（不図示）を収容する紙製の内側包装体２が合成樹脂製の無色透明なフィルムからなる外側包装体３に覆われている。
【００２０】
外側包装体３には赤青めがね５が切取線６を介して切り取り可能に配備されている。赤青めがね５の符号７で示す部分は赤色フィルム部、符号８で示す部分は青色フィルム部になっている。
【００２１】
一方、紙製の内側包装体２の外側表面には絵４が描き表わされている。この絵４は、赤青めがね用のアナグリフ画であり、赤青めがねを使って見ることにより立体画像として見えるものである。
【００２２】
そこで、包装菓子１を購入した消費者が、図２図示のように切取線６を介して赤青めがね５を外側包装体３から切り離し、赤色フィルム部７を左目、青色フィルム部８を右目にあてて、内側包装体２の外側表面に描き表わされている絵４を見ると、絵４を立体的に視認することができ、内側包装体２から絵４が飛び出すようになって見える。
【００２３】
なお、図示の実施例では赤青めがね５は外側包装体３に切取線６を介して切り離し可能に配備されているが、切取線６が備えられていない形態にすることもできる。この場合には、ハサミなどを使用して赤青めがね５に相当する部分を外側包装体３から切り取る。あるいは、開封テープ２０を除去して外側包装体３を内側包装体２から抜き取り、赤青めがね５に相当する部分の赤色フィルム部７が左目、青色フィルム部８が右目にあたるようにして内側包装体２の外側表面に描き表わされている絵４を見ることにより、絵４を立体的に認識して楽しむことができる。
【００２４】
図３は本考案の他の実施形態に係る包装菓子１１の斜視図である。紙製の包装体１２の外側表面には、図１、図２の実施形態と同様に、絵４が描き表わされている。この絵４も、赤青めがね用のアナグリフ画であり、赤青めがねを使って見ることにより立体画像として見えるものである。
【００２５】
一方、包装体１２の符号９で示す側壁部分には、赤青めがね１５が切取線１０を介して切り離し可能に配備されている。符号１９で示す切取線１０の内側領域部で赤青めがね１５が構成される。赤青めがね１５の符号１３、１４で示す部分は内側領域部１９に透孔が形成されていて、その透孔に赤色フィルムが張設されている赤色フィルム部、青色フィルムが張設されている青色フィルム部である。
【００２６】
この包装菓子１１も、購入した消費者が、切取線１０を介して赤青めがね１５を包装体１２から切り離し、赤色フィルム部１３を左目、青色フィルム部１４を右目にあてて、包装体１２の外側表面に描き表わされている絵４を見ると、絵４を立体的に視認することができ、内側包装体１２から絵４が飛び出すようになって見える。
【実施例２】
【００２７】
図４、図５を用いて本考案の他の好ましい実施例を説明する。
【００２８】
図４、図５図示の実施例は、菓子を収容している包装体に赤青めがねが切り離し可能に配備されている点で図１〜３を用いて説明した実施例１と同じであるが、当該赤青めがね用のアナグリフ画が包装体に収容されているものの表面に描き表わされている点で実施例１と異なっている。そこで、図１〜３を用いて説明した実施例１と共通する部分には共通する符号を付けてその説明を省略する。
【００２９】
図４（ａ）は、包装箱を開封し、包装体１２から内箱２２を引き出した状態を表す斜視図である。複数の菓子１６、１７が個包装されて内箱２２内に収容されているが、各菓子１６、１７の外側表面、例えば、各菓子の包装の表面に、図４（ｂ）図示のように赤青めがね用のアナグリフ画である絵４ａが描かれている。
【００３０】
そこで、図４（ｂ）図示のように、切取線１０を介して赤青めがね１５を包装体１２からから切り離し、赤色フィルム部１３を左目、青色フィルム部１４を右目にあてて、菓子１６の外側表面に描き表わされている絵４ａを見ると、絵４ａを立体的に視認することができ、菓子１６から絵４ａが飛び出すようになって見える。
【００３１】
図５は、包装体１２内に、菓子１６、１７と共に収容物１８が収容されており、この収容物１８の表面に赤青めがね用のアナグリフ画である絵４ｂが描かれている場合の一例を説明するものである。
【００３２】
収容物１８としては、いわゆる「おまけ」として、菓子と共に包装箱に収容されているカード等の種々の形態のものが採用される。
【００３３】
ここでも、図５（ｂ）図示のように、切取線１０を介して赤青めがね１５を包装体１２からから切り離し、赤色フィルム部１３を左目、青色フィルム部１４を右目にあてて、収容物１８の表面に描き表わされている絵４ｂを見ると、絵４ｂを立体的に視認することができ、収容物１８から絵４ｂが飛び出すようになって見える。
【００３４】
図４、図5図示の実施例では、包装体１２（例えば、紙製）の側壁部分に赤青めがね１５が切取線１０を介して切り離し可能に配備されている例を説明した。これに替えて、図示していないが、包装体１２に赤青めがね１５が配備されておらず、包装体１２を覆う合成樹脂製の外側包装体に赤青めがねが配備されている形態にすることもできる。
【００３５】
また、切取線１０が設けられておらず、ハサミなどの切除手段を用いて、包装体、外側包装体などの包装体に配備されている赤青めがねを切り離して使用することもできる。
【００３６】
以上、添付図面を参照して本考案の好ましい実施形態、実施例を説明したが、本考案はこれらに限られるものではなく、実用新案登録請求の範囲の記載から把握される技術的範囲において種々の形態に変更可能である。
【００３７】
例えば、前記の実施例では、包装菓子１、１１、２１の内側包装体２、包装体１２が直方体形状の箱体である場合について説明したが、内側包装体２、包装体１２の形状、構造はこれらに限られない。また、内側包装体２、包装体１２が袋状であってもよい。
【符号の説明】
【００３８】
１、１１、２１  包装菓子
２  内側包装体
３  外側包装体
５、１５  赤青めがね
６、１０  切取線
７、１３  赤色フィルム部
８、１４  青色フィルム部
４、４ａ、４ｂ  絵（赤青めがね用のアナグリフ画）
１２  包装体
２２  内箱
１６、１７  個包装された菓子
１８  収容物
【図１】
0003160624.tif 000003
【図２】
0003160624.tif 000004
【図３】
0003160624.tif 000005
【図４】
0003160624.tif 000006
【図５】
0003160624.tif 000007